(57)【要約】【課題】  電子写真装置のプロセススピードを３００ｍｍ／ｓ以上という高速にした場合であっても、また、出力画像品質向上のために電子写真感光体の感光層の膜厚を２０μｍ以下という薄膜にした場合であっても、また、帯電安定性を確保するためにＡＣ／ＤＣ接触帯電方式を採用した場合であっても、クリーニングブレードの捲れが発生しにくく、また、画像不良が発生しにくい電子写真装置を提供する。【解決手段】  帯電手段により帯電された電子写真感光体の１周目の帯電電位と２周目の帯電電位との差の絶対値が４５Ｖ以上８０Ｖ以下である。【選択図】  なし【特許請求の範囲】
【請求項１】
支持体上に膜厚２０μｍ以下の感光層を有する電子写真感光体と、該電子写真感光体を帯電するための帯電手段と、該帯電手段により帯電された電子写真感光体に露光によって静電潜像を形成するための露光手段と、該露光手段により形成された電子写真感光体の静電潜像をトナーによって現像して該電子写真感光体にトナー像を形成するための現像手段と、該現像手段により形成された電子写真感光体のトナー像を転写材に転写するための転写手段と、該転写手段による転写後に電子写真感光体に残留するトナーをクリーニングするためのクリーニング手段とを有する電子写真装置であって、
該帯電手段が該電子写真感光体に接触配置されかつ該電子写真感光体を帯電するために交流電圧を重畳した直流電圧が印加される接触帯電部材を有し、該クリーニング手段が該電子写真感光体に接触配置されたクリーニングブレードを有し、該電子写真感光体の画像形成プロセスにおける回転速度が３００ｍｍ／ｓ以上である電子写真装置において、
該帯電手段により帯電された該電子写真感光体の１周目の帯電電位と２周目の帯電電位との差の絶対値が４５Ｖ以上８０Ｖ以下であることを特徴とする電子写真装置。
【請求項２】
前記帯電手段により帯電された前記電子写真感光体の１周目の帯電電位と２周目の帯電電位との差の絶対値が５０Ｖ以上７０Ｖ以下である請求項１に記載の電子写真装置。
【発明の詳細な説明】
【技術分野】
【０００１】
本発明は、電子写真装置に関し、詳しくは、支持体上に膜厚２０μｍ以下の感光層を有する電子写真感光体を有し、プロセススピードが３００ｍｍ／ｓ以上である電子写真装置に関する。
【背景技術】
【０００２】
電子写真技術は、即時性、高品質の画像が得られることなどから、複写機やプリンターの分野でも広く応用されてきており、また、市場から高速化や画像の高品質化がこれまで以上に求められている。
【０００３】
電子写真装置のプロセススピード（電子写真プロセスにおける電子写真感光体の回転速度）を高速化するには、単純に本体装置を高速化すれば達成できるというものではなく、高速化によって引き起こされる様々な問題を解決しなければならない。
【０００４】
電子写真装置の中核となる電子写真感光体については、セレン、硫化カドミウム、酸化亜鉛などの無機光導電性物質を用いた無機電子写真感光体に代わり、近年、無公害性、高生産性、材料設計の容易性などの点から、有機光導電性物質を用いた有機電子写真感光体の開発が盛んに行われている。
【０００５】
電子写真装置の出力画像の品質を向上するために、電子写真感光体の感光層を薄膜化する技術が数多く提案されている。
【０００６】
しかしながら、電子写真感光体の感光層を薄膜化すると、電子写真感光体の静電容量が上昇して帯電安定性が低下し、帯電不良が起きやすくなる。帯電不良が起きると、出力画像にカブリが発生しやすくなる。
【０００７】
電子写真感光体を帯電する方式としては、電子写真感光体に接触配置された接触帯電部材に電圧を印加して電子写真感光体を帯電する接触帯電方式が主流となっている。接触帯電方式は、コロナ帯電方式に比べて、オゾン発生量が格段に少ない、帯電部材に流す電流の浪費が少ないなどの利点がある。
【０００８】
しかしながら、接触帯電方式は、パッシェン則による放電によって帯電する方式であるため、帯電安定性が悪くなりがちである。
【０００９】
そこで、近年は、接触帯電部材に印加する電圧として交流電圧を重畳した直流電圧を用いて、帯電安定性の向上を図ることが多い（以下、ＡＣ／ＤＣ接触帯電方式と称する）。
【特許文献１】特開昭５７−１７８２６７号公報
【特許文献２】特開昭５６−１０４３５１号公報
【特許文献３】特開昭６３−１４９６６８号公報
【発明の開示】
【発明が解決しようとする課題】
【００１０】
しかしながら、ＡＣ／ＤＣ帯電方式を採用した場合、直流電圧に重畳した交流電圧によって、接触帯電部材から電子写真感光体の表面への放電量は大幅に増大するため、電子写真感光体の表面の電気的な劣化が非常に大きくなる。
【００１１】
また、電子写真装置のプロセススピードが高速であるほど、帯電安定性の確保のために接触帯電部材に印加する電圧のうちの交流電圧（のピーク間電圧）を高くする必要があるため、接触帯電部材から電子写真感光体の表面への放電量がより一層増大して、電子写真感光体の表面の電気的な劣化がより顕著になる。
【００１２】
電子写真感光体の表面が電気的に劣化すると、その表面が変質して摩擦抵抗が大きくなり、転写後に電子写真感光体に残留するトナーをクリーニングするためのクリーニングブレードが捲れてしまうという問題（以下、ブレード捲れと称する）が発生する。
【００１３】
ブレード捲れを解決するための１つの方法としては、電子写真プロセスの中で、電子写真感光体の表面層である感光層をあえて摩耗させながら使用するという方法がある。
【００１４】
しかしながら、電子写真感光体の寿命はその表面の削れ量に大きく依存するため、出力画像の品質を向上するために感光層を薄膜化した場合、感光層をあえて削りながら使用するという方法を採ると、電子写真感光体の寿命が非常に短くなってしまう。
【００１５】
また、電子写真感光体の表面が電気的に劣化すると、その表面に傷が発生しやすくなる。感光層が薄膜の電子写真感光体の場合、感光層が厚膜の場合には問題にならないような浅い傷でも、画像不良が発生しやすい。
【００１６】
本発明の目的は、電子写真装置のプロセススピードを３００ｍｍ／ｓ以上という高速にした場合であっても、また、出力画像品質向上のために電子写真感光体の感光層の膜厚を２０μｍ以下という薄膜にした場合であっても、また、帯電安定性を確保するためにＡＣ／ＤＣ接触帯電方式を採用した場合であっても、クリーニングブレードの捲れが発生しにくく、また、画像不良が発生しにくい電子写真装置を提供することにある。
【課題を解決するための手段】
【００１７】
本発明者らは、鋭意検討の結果、電子写真装置のプロセススピードを３００ｍｍ／ｓ以上という高速にした場合であっても、また、出力画像品質向上のために電子写真感光体の感光層の膜厚を２０μｍ以下という薄膜にした場合であっても、また、帯電安定性を確保するためにＡＣ／ＤＣ接触帯電方式を採用した場合であっても、帯電手段により帯電された電子写真感光体の１周目の帯電電位と２周目の帯電電位との差の絶対値が４５Ｖ以上８０Ｖ以下であれば、上記課題を解決することができることを見いだした。
【００１８】
すなわち、本発明は、支持体上に膜厚２０μｍ以下の感光層を有する電子写真感光体と、該電子写真感光体を帯電するための帯電手段と、該帯電手段により帯電された電子写真感光体に露光によって静電潜像を形成するための露光手段と、該露光手段により形成された電子写真感光体の静電潜像をトナーによって現像して該電子写真感光体にトナー像を形成するための現像手段と、該現像手段により形成された電子写真感光体のトナー像を転写材に転写するための転写手段と、該転写手段による転写後に電子写真感光体に残留するトナーをクリーニングするためのクリーニング手段とを有する電子写真装置であって、
該帯電手段が該電子写真感光体に接触配置されかつ該電子写真感光体を帯電するために交流電圧を重畳した直流電圧が印加される接触帯電部材を有し、該クリーニング手段が該電子写真感光体に接触配置されたクリーニングブレードを有し、該電子写真感光体の画像形成プロセスにおける回転速度が３００ｍｍ／ｓ以上である電子写真装置において、
該帯電手段により帯電された該電子写真感光体の１周目の帯電電位と２周目の帯電電位との差の絶対値が４５Ｖ以上８０Ｖ以下であることを特徴とする電子写真装置である。
【発明の効果】
【００１９】
本発明によれば、電子写真装置のプロセススピードを３００ｍｍ／ｓ以上という高速にした場合であっても、また、出力画像品質向上のために電子写真感光体の感光層の膜厚を２０μｍ以下という薄膜にした場合であっても、また、帯電安定性を確保するためにＡＣ／ＤＣ接触帯電方式を採用した場合であっても、クリーニングブレードの捲れが発生しにくく、また、画像不良が発生しにくい電子写真装置を提供することができる。
【発明を実施するための最良の形態】
【００２０】
以下、本発明をより詳細に説明する。
【００２１】
本発明において、「帯電手段により帯電された電子写真感光体の１周目の帯電電位と２周目の帯電電位との差の絶対値」は、以下の方法により導き出される。
（１）電子写真装置から現像手段、転写手段およびクリーニング手段を外し、現像手段の位置に帯電電位読み取り装置を配置する。
（２）電子写真感光体を９回転以上回転させる。その際、帯電は行うが、露光は行わない。
（３）電子写真感光体を３回転以上回転させる。その際、帯電も露光も行う。露光は全面露光である。
（４）電子写真感光体を２回転以上回転させる。その際、帯電は行うが、露光は行わない。
（５）上記（４）における最初の回転時の帯電における帯電電位を、上記帯電電位読み取り装置により読み取り、その値を電子写真感光体の１周目の帯電電位とする。また、その次の回転時の帯電における帯電電位を、上記帯電電位読み取り装置により読み取り、その値を電子写真感光体の２回目の帯電電位とする。この２つの帯電電位の差の絶対値が、「帯電手段により帯電された電子写真感光体の１周目の帯電電位と２周目の帯電電位との差の絶対値（以下、│ΔＶｄ│ともいう）」である。
【００２２】
なお、上記以外の条件（プロセススピード、印加電圧など）は、上記方法により│ΔＶｄ│が測定された電子写真感光体を搭載して画像形成する際の電子写真装置のそれと全く同じである。
【００２３】
│ΔＶｄ│が４５Ｖ以上８０Ｖ以下であれば、上記課題を解決することができる具体的理由は明らかになっていないが、本発明者らはその理由を以下のように推察する。
【００２４】
すなわち、ＡＣ／ＤＣ接触帯電方式の場合、接触帯電部材に印加する電圧のうち、直流電圧（Ｖｄｃ）が所望の帯電電位（電子写真感光体の表面の帯電電位：Ｖｄ）であって、交流電圧（Ｖａｃ）は帯電安定性を確保するための電圧に過ぎない。
【００２５】
また、通常、電子写真感光体の１周目の帯電では、電子写真感光体の帯電電位は上記所望の帯電電位（Ｖｄ）には到達せず、電子写真感光体の２周目の帯電によって、電子写真感光体の帯電電位が上記所望の帯電電位（Ｖｄ）となる。つまり、電子写真感光体の１周目の帯電電位をＶｄ１とし、電子写真感光体の２周目の帯電電位をＶｄ２とすると、Ｖｄ１およびＶｄ２、│ΔＶｄ│、ならびに、上記Ｖｄおよび上記Ｖｄｃは、下記式（１）および（２）で示される関係にある。
Ｖｄ１＜Ｖｄ２≒Ｖｄ≒Ｖｄｃ  ・・・（１）
│ΔＶｄ│＝│Ｖｄ２−Ｖｄ１│≒│Ｖｄｃ−Ｖｄ１│  ・・・（２）
【００２６】
電子写真プロセスにおいて、クリーニングブレードによりほとんどのトナーは回収されるが、完全にこれを回収することは非常に困難であり、わずかながら、クリーニングブレードをすり抜けるトナーが存在する。クリーニングブレードをすり抜けたわずかなトナーに含まれる外添剤は、一旦、接触帯電部材に取り込まれる。接触帯電部材に取り込まれた外添剤は、接触帯電部材に印加された電圧によって電荷が付与され、その電位は接触帯電部材への印加電圧のうちの直流電圧Ｖｄｃと略同等になる。
【００２７】
電子写真感光体の帯電電位がＶｄ１の際、そのＶｄ１が接触帯電部材への印加電圧のうちの直流電圧Ｖｄｃに比べて十分に低い、すなわち、│Ｖｄｃ−Ｖｄ１│≒│ΔＶｄ│が十分に大きい場合、電荷が付与された外添剤は、電位の高い接触帯電部材から電位の低い電子写真感光体の表面に移動する。
【００２８】
そして、接触帯電部材から電子写真感光体への放電の際、表面の外添剤の存在によって、電子写真感光体の表面は直に放電電流を受けにくくなり、電子写真感光体の表面の電気的な劣化が抑制される。
【００２９】
電子写真感光体の表面の電気的な劣化が抑制されれば、電子写真感光体の表面が変質して摩擦抵抗が大きくなることが抑制され、ブレード捲れが抑制される。
【００３０】
ところが、│ΔＶｄ│が４５Ｖ以下である場合は、外添剤の接触帯電部材から電子写真感光体の表面への移動の量が乏しくなるため、外添剤は接触帯電部材に溜まりやすくなり、一方、電子写真感光体の表面の外添剤の存在量は少なくなり、電子写真感光体の表面の電気的な劣化が抑制されにくくなる。
【００３１】
また、接触帯電部材に溜まりすぎた外添剤が塊となって電子写真感光体に落ちた場合、電子写真感光体とクリーニングブレードとの間に挟み込まれ、特にプロセススピードが速い場合には、局部的に大きな摩擦熱を引き起こし、傷が発生する。
【００３２】
一方、│ΔＶｄ│が８０Ｖ以上あった場合、出力画像にカブリが発生することがある。
【００３３】
また、│ΔＶｄ│は４５Ｖ以上８０Ｖ以下であることが必須であるが、画像品質上、５０Ｖ以上７０Ｖ以下であることがより好ましい。
【００３４】
│ΔＶｄ│の値は、電子写真感光体の感光層中の電荷発生物質や電荷輸送物質などの材料の種類、それら材料の含有量、それら材料の組み合わせ方などによって変わり、また、支持体と感光層との間に導電層や中間層を設ける場合、それらに含有される材料の種類、含有量、組み合わせ方などによっても変わる。また、画像形成する際の電子写真装置のプロセススピードや電位設定によっても変わる。したがって、所望の│ΔＶｄ│の値を得るためには、これらの各種条件を適宜調整する必要がある。
【００３５】
次に、本発明の電子写真装置に用いられる電子写真感光体の構成について説明する。
【００３６】
上述のとおり、本発明の電子写真装置用の電子写真感光体は、支持体上に膜厚２０μｍ以下の感光層を有する電子写真感光体である。
【００３７】
出力画像の品質の観点からは、感光層の膜厚は５μｍ以上であることがこのましい。感光層が薄すぎると、出力画像にカブリが発生しやすくなる。
【００３８】
また、感光層は、電荷輸送物質と電荷発生物質を同一の層に含有する単層型感光層であっても、電荷発生物質を含有する電荷発生層と電荷輸送物質を含有する電荷輸送層とに分離した積層型（機能分離型）感光層であってもよいが、電子写真特性の観点からは積層型感光層が好ましい。また、積層型感光層には、支持体側から電荷発生層、電荷輸送層の順に積層した順層型感光層と、支持体側から電荷輸送層、電荷発生層の順に積層した逆層型感光層があるが、電子写真特性の観点からは順層型感光層が好ましい。
【００３９】
支持体としては、導電性を有していればよく、例えば、アルミニウム、アルミニウム合金、ステンレスなどの金属製の支持体を用いることができる。また、アルミニウム、アルミニウム合金、酸化インジウム−酸化スズ合金などを真空蒸着によって被膜形成された層を有する上記金属製支持体やプラスチック製支持体を用いることもできる。また、カーボンブラック、酸化スズ粒子、酸化チタン粒子、銀粒子などの導電性粒子を適当な結着樹脂と共にプラスチックや紙に含浸した支持体や、導電性結着樹脂を有するプラスチックなどを用いることもできる。
【００４０】
上述のとおり、支持体上には、レーザー光などの散乱による干渉縞の防止や、支持体の傷の被覆を目的とした導電層を設けてもよい。導電層は、カーボンブラック、金属粒子などの導電性粒子を結着樹脂に分散させて形成することができる。導電層の膜厚は、５〜４０μｍであることが好ましく、特には１０〜３０μｍであることがより好ましい。
【００４１】
また、支持体または導電層と感光層（電荷発生層、電荷輸送層）との間には、バリア機能や接着機能を有する中間層を設けてもよい。中間層は、感光層の接着性改良、塗工性改良、支持体からの電荷注入性改良、感光層の電気的破壊に対する保護などのために形成される。中間層は、カゼイン、ポリビニルアルコール、エチルセルロース、エチレン−アクリル酸コポリマー、ポリアミド、変性ポリアミド、ポリウレタン、ゼラチン、酸化アルミニウムなどの材料を用いて形成することができる。中間層の膜厚は５μｍ以下であることが好ましく、特には０．１〜３μｍであることがより好ましい。
【００４２】
本発明の電子写真装置用の電子写真感光体に用いられる電荷発生物質としては、例えば、モノアゾ、ジスアゾ、トリスアゾなどのアゾ顔料や、金属フタロシアニン、非金属フタロシアニンなどのフタロシアニン顔料や、インジゴ、チオインジゴなどのインジゴ顔料や、ペリレン酸無水物、ペリレン酸イミドなどのペリレン顔料や、アンスラキノン、ピレンキノンなどの多環キノン顔料や、スクワリリウム色素や、ピリリウム塩およびチアピリリウム塩や、トリフェニルメタン色素や、セレン、セレン−テルル、アモルファスシリコンなどの無機物質や、キナクリドン顔料や、アズレニウム塩顔料や、シアニン染料や、キサンテン色素や、キノンイミン色素や、スチリル色素や、硫化カドミウムや、酸化亜鉛などが挙げられる。これらの中でも、プロセススピードが高速であっても高い感度を有するという点で、アゾ顔料およびフタロシアニン顔料が好ましく、特には、金属フタロシアニン顔料が好ましい。また、これら電荷発生物質は１種のみ用いてもよく、２種以上用いてもよい。
【００４３】
感光層が積層型感光層である場合、電荷発生層に用いる結着樹脂としては、例えば、ポリカーボネート樹脂、ポリエステル樹脂、ポリアリレート樹脂、ブチラール樹脂、ポリスチレン樹脂、ポリビニルアセタール樹脂、ジアリルフタレート樹脂、アクリル樹脂、メタクリル樹脂、酢酸ビニル樹脂、フェノール樹脂、シリコーン樹脂、ポリスルホン樹脂、スチレン−ブタジエン共重合体樹脂、アルキッド樹脂、エポキシ樹脂、尿素樹脂、塩化ビニル−酢酸ビニル共重合体樹脂などが挙げられる。これらは単独、混合または共重合体として１種または２種以上用いることができる。
【００４４】
電荷発生層用塗布液に用いる溶剤は、使用する結着樹脂や電荷発生物質の溶解性や分散安定性から選択されるが、有機溶剤としてはアルコール、スルホキシド、ケトン、エーテル、エステル、脂肪族ハロゲン化炭化水素、芳香族化合物などが挙げられる。
【００４５】
電荷発生層は、電荷発生物質を結着樹脂および溶剤と共に分散して得られる電荷発生層用塗布液を塗布し、乾燥することによって形成することができる。分散方法としては、ホモジナイザー、超音波、ボールミル、サンドミル、アトライター、ロールミルなどを用いた方法が挙げられる。電荷発生物質と結着樹脂との割合は、１：０．３〜１：４（質量比）の範囲が好ましい。
【００４６】
電荷発生層用塗布液を塗布する際には、例えば、浸漬コーティング法、スプレーコーティング法、スピンナーコーティング法、ローラーコーティング法、マイヤーバーコーティング法、ブレードコーティング法などの塗布方法を用いることができる。
【００４７】
また、電荷発生層の膜厚は５μｍ以下であることが好ましく、特には０．０１〜１μｍであることがより好ましい。
【００４８】
また、電荷発生層には、種々の増感剤、酸化防止剤、紫外線吸収剤、可塑剤などを必要に応じて添加することもできる。
【００４９】
本発明の電子写真装置用の電子写真感光体に用いられる電荷輸送物質としては、トリアリールアミン化合物、ヒドラゾン化合物、スチリル化合物、スチルベン化合物、ピラゾリン化合物、オキサゾール化合物、チアゾール化合物、トリアリールメタン化合物などが挙げられる。
【００５０】
感光層が積層型感光層である場合、電荷輸送層に用いる結着樹脂としては、例えば、アクリル樹脂、スチレン樹脂、ポリエステル樹脂、ポリカーボネート樹脂、ポリアリレート樹脂、ポリサルホン樹脂、ポリフェニレンオキシド樹脂、エポキシ樹脂、ポリウレタン樹脂、アルキド樹脂、不飽和樹脂などが挙げられる。特には、ポリメチルメタクリレート樹脂、ポリスチレン樹脂、スチレン−アクリロニトリル共重合体樹脂、ポリカーボネート樹脂、ポリアリレート樹脂、ジアリルフタレート樹脂などが好ましい。これらは単独、混合または共重合体として１種または２種以上用いることができる。
【００５１】
電荷輸送層は、電荷輸送物質と結着樹脂を溶剤に溶解して得られる電荷輸送層用塗布液を塗布し、乾燥することによって形成することができる。電荷輸送物質と結着樹脂との割合は、２：１〜１：２（質量比）の範囲が好ましい。
【００５２】
電荷輸送層用塗布液に用いる溶剤としては、アセトン、メチルエチルケトンなどのケトン、酢酸メチル、酢酸エチルなどのエステル、トルエン、キシレンなどの芳香族炭化水素、クロロベンゼン、クロロホルム、四塩化炭素などのハロゲン原子で置換された炭化水素などが用いられる。
【００５３】
電荷輸送層用塗布液を塗布する際には、例えば、浸漬コーティング法、スプレーコーティング法、スピンナーコーティング法、ローラーコーティング法、マイヤーバーコーティング法、ブレードコーティング法などの塗布方法を用いることができる。塗布後に乾燥させる際、乾燥温度は１０℃〜２００℃の範囲が好ましく、特には２０℃〜１５０℃の範囲がより好ましい。また、乾燥時間は５分〜５時間の範囲が好ましく、特には１０分〜２時間の範囲が好ましい。乾燥は、送風乾燥であっても静止乾燥であってもよい。
【００５４】
電荷輸送層の膜厚は５〜１９μｍであることが好ましく、特には７〜１８μｍであることがより好ましい。
【００５５】
また、電荷輸送層には、酸化防止剤、紫外線吸収剤、可塑剤などを必要に応じて添加することもできる。
【００５６】
感光層が単層型感光層である場合、該単層型感光層は、上記電荷発生物質および上記電荷輸送物質を上記結着樹脂および上記溶剤と共に分散して得られる単層型感光層用塗布液を塗布し、乾燥することによって形成することができる。
【００５７】
また、感光層上には、該感光層を保護することを目的とした保護層を設けてもよい。保護層は、上述した各種結着樹脂を溶剤に溶解して得られる保護層用塗布液を塗布し、乾燥することによって形成することができる。
【００５８】
保護層の膜厚は０．５〜１０μｍであることが好ましく、特には１〜５μｍであることが好ましい。
【００５９】
また、本発明の電子写真装置用の電子写真感光体の表面層（感光層または保護層）には、潤滑剤などを必要に応じて添加することもできる。
【００６０】
図１に本発明の電子写真装置の概略構成を示す。
【００６１】
図１において、１１はドラム状の電子写真感光体であり、軸１２を中心に矢印方向に所定の周速度で回転駆動される。電子写真感光体１１は、回転過程において、帯電手段が有する接触帯電部材１３により、その周面に正または負の所定電位の均一帯電を受け、次いで、スリット露光やレーザービーム走査露光などの露光手段（不図示）から出力される露光光（画像露光光）１４を受ける。こうして電子写真感光体１１の周面に、目的の画像情報に対応した静電潜像が順次形成されていく。接触帯電部材１３には、交流電圧を重畳した直流電圧が印加される。
【００６２】
形成された静電潜像は、次いで現像手段１５によりトナー現像され、不図示の給紙部から電子写真感光体１１と転写手段１６との間に電子写真感光体１１の回転と同期して取り出されて給送された紙などの転写材１７に、電子写真感光体１１の周面に形成担持されているトナー画像が転写手段１６により順次転写されていく。
【００６３】
トナー画像の転写を受けた転写材１７は、電子写真感光体の周面から分離されて定着手段１８へ導入されて像定着を受けることにより画像形成物（プリント、コピー）として装置外へプリントアウトされる。
【００６４】
像転写後の電子写真感光体１１の周面は、クリーニング手段が有するクリーニングブレード１９によって転写残りトナーの除去を受けて清浄面化され、さらに前露光手段（不図示）からの前露光光２０により除電処理された後、繰り返し画像形成に使用される。なお、本発明の電子写真装置のように、帯電手段が帯電ローラーなどの接触帯電部材を用いた接触帯電手段である場合、前露光は必ずしも必要ではない。
【００６５】
また、上述の電子写真感光体１１、接触帯電部材１３を有する帯電手段、現像手段１５、クリーニングブレード１９を有するクリーニング手段などの構成要素のうち、複数のものを容器に納めてプロセスカートリッジとして一体に結合して構成し、このプロセスカートリッジを複写機やレーザービームプリンターなどの電子写真装置本体に対して着脱自在に構成してもよい。例えば、接触帯電部材１３を有する帯電手段、現像手段１５およびクリーニングブレード１９を有するクリーニング手段の少なくとも１つを電子写真感光体１１と共に一体に支持してカートリッジ化して、装置本体のレールなどの案内手段２２を用いて装置本体に着脱自在なプロセスカートリッジ２１とすることができる。
【００６６】
また、露光光１４は、例えば、原稿からの反射光や透過光、あるいは、センサーで原稿を読み取り、信号化し、この信号にしたがって行われるレーザービームの走査、ＬＥＤアレイの駆動または液晶シャッターアレイの駆動などにより照射される光である。
【００６７】
本発明の電子写真感光体は、複写機やレーザービームプリンターに利用するのみならず、ＣＲＴプリンター、ＬＥＤプリンター、ＦＡＸ、液晶プリンター、レーザー製版などの電子写真応用分野にも幅広く適用し得るものである。
【００６８】
（実施例）
以下に、具体的な実施例を挙げて本発明をさらに詳細に説明する。ただし、本発明はこれらに限定されるものではない。なお、実施例中の「部」は「質量部」を意味する。また、実施例中で用いたポリアリレート樹脂は、すべて、テレフタル酸構造とイソフタル酸構造とのモル比（テレフタル酸構造：イソフタル酸構造）が５０：５０（モル比）のものである。
【００６９】
（実施例１）
長さ２６０ｍｍ、直径３０ｍｍのアルミニウムシリンダーを支持体として、この上に、以下の材料より構成される導電層用塗布液を支持体上に浸漬コーティングし、１４０℃で３０分間熱硬化し、膜厚が１５μｍの導電層を形成した。
【００７０】
導電性顔料：酸化スズ・酸化アンチモンコート処理酸化チタン  １０部
抵抗調節用顔料：酸化チタン  １０部
結着樹脂：フェノール樹脂（商品名：プライオーフェンＪ３２５、大日本インキ化学工業（株）製）  １０部
レベリング剤：シリコーンオイル（商品名：ＳＨ２８ＰＡ、信越化学（株）製）  ０．００１部
溶媒：メタノール／メトキシプロパノール＝１／１  ２０部
【００７１】
次に、導電層上に、共重合ポリアミド樹脂（商品名：アミランＣＭ−８０００、東レ（株）製）１０部およびメトキシメチル化６ナイロン樹脂（トレジンＥＦ−３０Ｔ、帝国化学（株）製）３０部を、メタノール４００部／ｎ−ブタノール２００部の混合溶媒に溶解した溶液を浸漬コーティングし、膜厚が０．７μｍの中間層を形成した。
【００７２】
次に、下記式
【００７３】
【化１】
2005062327.tif 000002
【００７４】
で示される構造を有し、ＣｕＫα特性Ｘ線回折におけるブラッグ角（２θ±０．２°）の９．０°、１４．２°、２３．９°、２７．１°に強いピークを有する結晶形のオキシチタニウムフタロシアニン結晶４部、ポリビニルブチラール（商品名：エスレックＢＸ−１、積水化学工業（株）製）２部およびシクロヘキサノン７０部を、サンドミル装置で１０時間分散し、次に、酢酸エチル１００部を加えて電荷発生層用塗布液を調製した。
【００７５】
この電荷発生層用塗布液を、中間層上に浸漬コーティングし、９０℃で１０分間乾燥して、膜厚０．１７μｍの電荷発生層を形成した。
【００７６】
次に、下記式
【００７７】
【化２】
2005062327.tif 000003
【００７８】
で示される構造を有するアミン化合物（Ａ）８１部、および、下記式
【００７９】
【化３】
2005062327.tif 000004
【００８０】
で示される構造を有するアミン化合物（Ｂ）９部と、下記式
【００８１】
【化４】
2005062327.tif 000005
【００８２】
で示される繰り返し構造単位を有するビスフェノールＣ型ポリアリレート（数平均分子量：１３００００）５０部、下記式
【００８３】
【化５】
2005062327.tif 000006
【００８４】
で示される繰り返し構造単位を有するビスフェノールＺ型ポリカーボネート（商品名：ユーピロンＺ−４００、三菱ガス化学（株）製、粘度平均分子量：４００００）５０部、ならびに、下記式
【００８５】
【化６】
2005062327.tif 000007
【００８６】
で示される繰り返し構造単位および下記式
【００８７】
【化７】
2005062327.tif 000008
【００８８】
で示される繰り返し構造単位を有するポリカーボネート共重合体（粘度平均分子量：４００００、共重合比は前者：後者＝９８：２（モル比、以下同じ））１０部とを、モノクロロベンゼン５００部およびジクロロメタン５００部に溶解し、さらに、これに、シリコーン系粉末潤滑剤（商品名：アロンＧＳ−１０１ＣＰ、東亞合成化学工業（株）製）０．２部を添加して、電荷輸送層用塗布液を調製した。
【００８９】
この電荷輸送層用塗布液を、電荷発生層上に浸漬コーティングし、１１０℃で１時間熱風乾燥して、膜厚１８μｍの電荷輸送層を形成した。
【００９０】
このようにして作製した電子写真感光体を、レーザービームプリンターであるレーザージェット４１００（ヒューレットパッカード社製、ＡＣ／ＤＣ帯電方式を採用し、接触帯電部材が帯電ローラーである）の改造機に搭載した。プロセススピードを３００ｍｍ／ｓ以上に設定できるように改造したものである。
【００９１】
また、評価時には、特記のない限り、帯電ローラーへの印加電圧のうちの直流電圧は−６２０Ｖに設定し、また、交流の電流量はハーフトーン画像を出力した際に画像不良が発生しない最低量に設定した。また、露光量は明部電位が−２００Ｖになるように設定した。プロセススピードは３２０ｍｍ／ｓに設定した。
【００９２】
│ΔＶｄ│は、上述のとおりに導出した。
【００９３】
また、３２．５℃／９０％ＲＨ環境下で両面連続耐刷試験を行い、ブレード捲れの評価を行った。なお、両面印刷を行ったので、両面印字された紙１枚を２枚相当と換算した。また、出力画像は、印字率３％、縦横等間隔の格子パターンである。
【００９４】
ブレード捲れの評価基準に関しては、
Ａ：２００００枚相当までブレード捲れなし
Ｂ：クリーニングブレードの鳴きやびびりは発生していたものの、２００００枚相当までブレード捲れなし
Ｃ：１５０００枚相当未満でブレード捲れが発生
Ｄ：１００００枚相当未満でブレード捲れが発生
Ｅ：５０００枚相当未満でブレード捲れが発生
とした。
【００９５】
また、転写材（紙）の反射濃度平均値Ｄｒを測定し、次いで、１５℃／５％ＲＨ環境下でベタ白画像を出力して、その画像の反射濃度最高値Ｄｓを測定し、Ｄｓ−Ｄｒ［％］を求め、これをカブリ量として評価した。数値が小さいほどカブリが抑制されている。
【００９６】
カブリ量の評価基準に関しては、
Ａ：１％以下
Ｂ：２％以下
Ｃ：３％以下
Ｄ：４％以上
とした。
【００９７】
傷・削れに関しては、２５℃／５３％ＲＨ環境下で片面連続耐刷試験（２枚間欠モード）を行い、傷・削れの評価を行った。また、出力画像は、印字率３％、縦横等間隔の格子パターンである。
【００９８】
傷の評価基準に関しては、
Ａ：すべての出力画像でも傷が見られない
Ｂ：出力画像のうち、ハーフトーン画像でうっすらと傷が見られる
Ｃ：出力画像に深傷が見られる
削れは、耐久前後における電子写真感光体の層厚差から算出した。
【００９９】
（実施例２）
実施例１において、導電層の膜厚を０．２μｍにした以外は、実施例１と同様にして電子写真感光体を作製し、この電子写真感光体を実施例１と同様のレーザービームプリンターに搭載し、実施例１と同様にして評価を行った。
【０１００】
（実施例３）
実施例１において、電荷輸送層に用いたビスフェノールＣ型ポリアリレート５０部およびビスフェノールＺ型ポリカーボネート５０部を、下記式
【０１０１】
【化８】
2005062327.tif 000009
【０１０２】
で示される繰り返し構造単位および下記式
【０１０３】
【化９】
2005062327.tif 000010
【０１０４】
で示される繰り返し構造単位を有するポリアリレート共重合体（重量平均分子量：１３００００、共重合比は前者：後者＝７：３）１００部に変更した以外は、実施例１と同様にして電子写真感光体を作製し、この電子写真感光体を実施例１と同様のレーザービームプリンターに搭載し、実施例１と同様にして評価を行った。
【０１０５】
（実施例４）
実施例１において、電荷輸送層に用いたビスフェノールＣ型ポリアリレート５０部を、下記式
【０１０６】
【化１０】
2005062327.tif 000011
【０１０７】
で示される繰り返し構造単位および下記式
【０１０８】
【化１１】
2005062327.tif 000012
【０１０９】
で示される繰り返し構造単位を有するポリアリレート共重合体（重量平均分子量：１３００００、共重合比は前者：後者＝７：３）５０部に変更した以外は、実施例１と同様にして電子写真感光体を作製し、この電子写真感光体を実施例１と同様のレーザービームプリンターに搭載し、実施例１と同様にして評価を行った。
【０１１０】
（実施例５）
実施例１において、電荷輸送層に用いたビスフェノールＣ型ポリアリレート５０部を、下記式
【０１１１】
【化１２】
2005062327.tif 000013
【０１１２】
で示される繰り返し構造単位および下記式
【０１１３】
【化１３】
2005062327.tif 000014
【０１１４】
で示される繰り返し構造単位を有するポリアリレート共重合体（重量平均分子量：１３００００、共重合比は前者：後者＝７：３）５０部に変更し、また、ビスフェノールＺ型ポリカーボネートの使用量を５０部から３０部に変更した以外は、実施例１と同様にして電子写真感光体を作製し、この電子写真感光体を実施例１と同様のレーザービームプリンターに搭載し、実施例１と同様にして評価を行った。
【０１１５】
（実施例６）
実施例３において、電荷輸送層に用いたポリアリレート共重合体１００部を、下記式
【０１１６】
【化１４】
2005062327.tif 000015
【０１１７】
で示される繰り返し構造単位を有するポリアリレート（数平均分子量：２４０００）１００部に変更した以外は、実施例３と同様にして電子写真感光体を作製し、この電子写真感光体を実施例１と同様のレーザービームプリンターに搭載し、実施例１と同様にして評価を行った。
【０１１８】
（実施例７）
実施例１において、電荷輸送層に用いたビスフェノールＺ型ポリカーボネート５０部を用いず、ビスフェノールＣ型ポリアリレートの使用量を５０部から１００部に変更した以外は、実施例１と同様にして電子写真感光体を作製し、この電子写真感光体を実施例１と同様のレーザービームプリンターに搭載し、実施例１と同様にして評価を行った。
【０１１９】
（実施例８）
実施例１において、電荷輸送層に用いたビスフェノールＣ型ポリアリレートの使用量を５０部から８０部に変更し、ビスフェノールＺ型ポリカーボネートの使用量を５０部から２０部に変更した以外は、実施例１と同様にして電子写真感光体を作製し、この電子写真感光体を実施例１と同様のレーザービームプリンターに搭載し、実施例１と同様にして評価を行った。
【０１２０】
（実施例９）
実施例１において、電荷輸送層に用いたビスフェノールＣ型ポリアリレートの使用量を５０部から２０部に変更し、ビスフェノールＺ型ポリカーボネートの使用量を５０部から８０部に変更した以外は、実施例１と同様にして電子写真感光体を作製し、この電子写真感光体を実施例１と同様のレーザービームプリンターに搭載し、実施例１と同様にして評価を行った。
【０１２１】
（実施例１０）
実施例１において、電荷発生層および電荷輸送層に関して次のように変更した以外は、実施例１と同様にして電子写真感光体を作製し、この電子写真感光体を実施例１と同様のレーザービームプリンターに搭載し、実施例１と同様にして評価を行った。
【０１２２】
すなわち、下記式
【０１２３】
【化１５】
2005062327.tif 000016
【０１２４】
で示される構造を有するアゾ顔料３部、下記式
【０１２５】
【化１６】
2005062327.tif 000017
【０１２６】
で示される繰り返し構造単位および下記式
【０１２７】
【化１７】
2005062327.tif 000018
【０１２８】
で示される繰り返し構造単位を有するポリビニルベンザール（ベンザール化率８０％、重量平均分子量：１２０００）１部、ならびに、シクロヘキサノン７０部を、サンドミル装置で１０時間分散し、次に、酢酸エチル１００部を加えて電荷発生層用塗布液を調製した。
【０１２９】
この電荷発生層用塗布液を、中間層上に浸漬コーティングし、９０℃で１０分間乾燥して、膜厚０．１７μｍの電荷発生層を形成した。
【０１３０】
次に、電荷輸送層に用いたビスフェノールＣ型ポリアリレート５０部を用いず、ビスフェノールＺ型ポリカーボネートの使用量を５０部から１００部に変更した以外は、実施例１と同様にして電荷輸送層を形成した。
【０１３１】
（実施例１１）
実施例１において、電荷輸送層に用いたビスフェノールＣ型ポリアリレート５０部を用いず、ビスフェノールＺ型ポリカーボネートの使用量を５０部から１００部に変更した以外は、実施例１と同様にして電子写真感光体を作製し、この電子写真感光体を実施例１と同様のレーザービームプリンターに搭載し、実施例１と同様にして評価を行った。
【０１３２】
（実施例１２）
実施例１１において、電荷輸送層に用いたアミン化合物（Ａ）の使用量を８１部から１３５部に変更し、アミン化合物（Ｂ）の使用量を９部から１５部に変更した以外は、実施例１１と同様にして電子写真感光体を作製し、この電子写真感光体を実施例１と同様のレーザービームプリンターに搭載し、実施例１と同様にして評価を行った。
【０１３３】
（実施例１３）
実施例１１において、電荷発生層の膜厚を０．０８μｍにした以外は、実施例１１と同様にして電子写真感光体を作製し、この電子写真感光体を実施例１と同様のレーザービームプリンターに搭載し、実施例１と同様にして評価を行った。
【０１３４】
（実施例１４）
実施例１１において、電荷発生層の膜厚を０．２５μｍにした以外は、実施例１１と同様にして電子写真感光体を作製し、この電子写真感光体を実施例１と同様のレーザービームプリンターに搭載し、実施例１と同様にして評価を行った。
【０１３５】
（実施例１５）
実施例１１において、電荷輸送層に用いたビスフェノールＺ型ポリカーボネート１００部を、下記式
【０１３６】
【化１８】
2005062327.tif 000019
【０１３７】
で示される繰り返し構造単位を有するビスフェノールＡ型ポリカーボネート（粘度平均分子量：４００００）１００部に変更し、モノクロロベンゼン５００部をテトラヒドロフラン５００部に変更した以外は、実施例１１と同様にして電子写真感光体を作製し、この電子写真感光体を実施例１と同様のレーザービームプリンターに搭載し、実施例１と同様にして評価を行った。
【０１３８】
（実施例１６）
実施例１５と同様にして電子写真感光体を作製し、この電子写真感光体を、プロセススピードを３２０ｍｍ／ｓから４００ｍｍ／ｓに変更した以外は実施例１と同様のレーザービームプリンターに搭載し、実施例１と同様にして評価を行った。
【０１３９】
（実施例１７）
実施例１５と同様にして電子写真感光体を作製し、この電子写真感光体を、帯電ローラーへの印加電圧のうちの直流電圧を−６２０Ｖから−６５０Ｖに変更した以外は実施例１と同様のレーザービームプリンターに搭載し、実施例１と同様にして評価を行った。
【０１４０】
（実施例１８）
実施例１５と同様にして電子写真感光体を作製し、この電子写真感光体を、帯電ローラーへの印加電圧のうちの直流電圧を−６２０Ｖから−７００Ｖに変更した以外は実施例１と同様のレーザービームプリンターに搭載し、実施例１と同様にして評価を行った。
【０１４１】
（実施例１９）
長さ２６０ｍｍ、直径３０ｍｍの切削アルミニウムシリンダー上に、陽極酸化によってアルマイト層を設け、これを支持体とした。
【０１４２】
導電層、中間層は設けなかった。
【０１４３】
次に、下記式
【０１４４】
【化１９】
2005062327.tif 000020
【０１４５】
で示される構造を有し、ＣｕＫα特性Ｘ線回折におけるブラッグ角（２θ±０．２°）の２７．３°に強いピークを有する結晶形のオキシチタニウムフタロシアニン結晶４部、ポリビニルブチラール（商品名：エスレックＢＸ−１、積水化学工業（株）製）２部およびシクロヘキサノン７０部を、サンドミル装置で１０時間分散し、次に、酢酸エチル１００部を加えて電荷発生層用塗布液を調製した。
【０１４６】
この電荷発生層用塗布液を、支持体のアルマイト層上に浸漬コーティングし、９０℃で１０分間乾燥して、膜厚０．１７μｍの電荷発生層を形成した。
【０１４７】
次に、下記式
【０１４８】
【化２０】
2005062327.tif 000021
【０１４９】
で示される構造を有するアミン化合物（Ｃ）７５部と、下記式
【０１５０】
【化２１】
2005062327.tif 000022
【０１５１】
で示される繰り返し構造単位を有するビスフェノールＡ型ポリカーボネート（粘度平均分子量：２００００）１００部、ならびに、下記式
【０１５２】
【化２２】
2005062327.tif 000023
【０１５３】
で示される繰り返し構造単位および下記式
【０１５４】
【化２３】
2005062327.tif 000024
【０１５５】
で示される繰り返し構造単位を有するポリカーボネート共重合体（粘度平均分子量：４００００、共重合比は前者：後者＝９８：２）１０部とを、モノクロロベンゼン５００部およびジクロロメタン５００部に溶解し、さらに、これに、シリコーン系粉末潤滑剤（商品名：アロンＧＳ−１０１ＣＰ、東亞合成化学工業（株）製）０．２部を添加して、電荷輸送層用塗布液を調製した。
【０１５６】
この電荷輸送層用塗布液を、電荷発生層上に浸漬コーティングし、１１０℃で１時間熱風乾燥して、膜厚１８μｍの電荷輸送層を形成した。
【０１５７】
このようにして作製した電子写真感光体を、実施例１と同様のレーザービームプリンターに搭載し、実施例１と同様にして評価を行った。
【０１５８】
（比較例１）
実施例１５において、電荷発生層および電荷輸送層に関して次のように変更した以外は、実施例１５と同様にして電子写真感光体を作製し、この電子写真感光体を実施例１と同様のレーザービームプリンターに搭載し、実施例１と同様にして評価を行った。
【０１５９】
すなわち、下記式
【０１６０】
【化２４】
2005062327.tif 000025
【０１６１】
で示される構造を有するアミン化合物（Ｄ）５０部と、下記式
【０１６２】
【化２５】
2005062327.tif 000026
【０１６３】
で示される繰り返し構造単位を有するビスフェノールＡ型ポリカーボネート（粘度平均分子量：２００００）５０部とを、モノクロロベンゼン５００部およびジクロロメタン５００部に溶解して、電荷輸送層用塗布液を調製した。
【０１６４】
この電荷輸送層用塗布液を、電荷発生層上に浸漬コーティングし、１１０℃で１時間熱風乾燥して、膜厚１８μｍの電荷輸送層を形成した。
【０１６５】
（比較例２）
比較例１において、電荷発生層および電荷輸送層に関して次のように変更した以外は、比較例１と同様にして電子写真感光体を作製し、この電子写真感光体を実施例１と同様のレーザービームプリンターに搭載し、実施例１と同様にして評価を行った。
【０１６６】
すなわち、下記式
【０１６７】
【化２６】
2005062327.tif 000027
【０１６８】
で示される構造を有するアゾ顔料３部、下記式
【０１６９】
【化２７】
2005062327.tif 000028
【０１７０】
で示される繰り返し構造単位および下記式
【０１７１】
【化２８】
2005062327.tif 000029
【０１７２】
で示される繰り返し構造単位を有するポリビニルベンザール（ベンザール化率８０％、重量平均分子量：１２０００）１部、ならびに、シクロヘキサノン７０部を、サンドミル装置で１０時間分散し、次に、酢酸エチル１００部を加えて電荷発生層用塗布液を調製した。
【０１７３】
この電荷発生層用塗布液を、中間層上に浸漬コーティングし、９０℃で１０分間乾燥して、膜厚０．１７μｍの電荷発生層を形成した。
【０１７４】
次に、電荷輸送層に用いたビスフェノールＡ型ポリカーボネートの粘度平均分子量を２００００から８００００に変更した以外は、比較例１と同様にして電荷輸送層を形成した。
【０１７５】
（比較例３）
比較例１において、電荷輸送層に用いたアミン化合物（Ｄ）５０部を、下記式
【０１７６】
【化２９】
2005062327.tif 000030
【０１７７】
で示される構造を有するアミン化合物（Ｂ）４０部および下記式
【０１７８】
【化３０】
2005062327.tif 000031
【０１７９】
で示される構造を有するアミン化合物（Ｄ）１０部に変更し、ビスフェノールＡ型ポリカーボネートの粘度平均分子量を２００００から８００００に変更した以外は、比較例１と同様にして電子写真感光体を作製し、この電子写真感光体を実施例１と同様のレーザービームプリンターに搭載し、実施例１と同様にして評価を行った。
【０１８０】
（比較例４）
比較例１において、電荷輸送層に用いたアミン化合物（Ｄ）５０部を、下記式
【０１８１】
【化３１】
2005062327.tif 000032
【０１８２】
で示される構造を有するアミン化合物（Ｅ）５０部に変更した以外は、比較例１と同様にして電子写真感光体を作製し、この電子写真感光体を実施例１と同様のレーザービームプリンターに搭載し、実施例１と同様にして評価を行った。
【０１８３】
（比較例５）
比較例１において、導電層および電荷輸送層に関して次のように変更した以外は、比較例１と同様にして電子写真感光体を作製し、この電子写真感光体を実施例１と同様のレーザービームプリンターに搭載し、実施例１と同様にして評価を行った。
【０１８４】
すなわち、ポリビニルアルコール樹脂（商品名：ＰＶＡ−１１７、（株）クラレ製）１００部を水１００部に溶解した溶液を支持体上に浸漬コーティングし、１１０℃で１０分間加熱し、膜厚が１μｍの導電層を形成した。
【０１８５】
また、電荷輸送層に用いたビスフェノールＡ型ポリカーボネートの粘度平均分子量を２００００から８００００に変更した以外は、比較例１と同様にして電荷輸送層を形成した。
【０１８６】
（比較例６）
比較例１において、電荷輸送層に用いたビスフェノールＡ型ポリカーボネートの粘度平均分子量を２００００から８００００に変更し、また、下記式
【０１８７】
【化３２】
2005062327.tif 000033
【０１８８】
で示される構造を有する化合物１０部を電荷輸送層用塗布液に追加した以外は、比較例１と同様にして電子写真感光体を作製し、この電子写真感光体を実施例１と同様のレーザービームプリンターに搭載し、実施例１と同様にして評価を行った。
【０１８９】
（比較例７）
実施例１５と同様にして電子写真感光体を作製し、この電子写真感光体を、帯電ローラーへの印加電圧のうちの直流電圧を−６２０Ｖから−５００Ｖに変更した以外は実施例１と同様のレーザービームプリンターに搭載し、実施例１と同様にして評価を行った。
【０１９０】
（参考例１）
比較例５と同様にして電子写真感光体を作製し、この電子写真感光体を、プロセススピードを３２０ｍｍ／ｓから２７０ｍｍ／ｓに変更した以外は実施例１と同様のレーザービームプリンターに搭載し、実施例１と同様にして評価を行った。
【０１９１】
実施例１〜１９、比較例１〜７、参考例１の評価結果を表１に示す。
【０１９２】
【表１】
2005062327.tif 000034
【０１９３】
│ΔＶｄ│が４５Ｖ以上８０Ｖ以下である電子写真装置の場合、カブリやブレード捲れが発生せず２００００枚相当まで画像出力ができた。また、電子写真感光体の削れ量が少なくても、ブレード捲れが抑えられた。特に、│ΔＶｄ│が５０Ｖ以上７０Ｖ以下である場合は、カブリやブレード捲れがより発生しにくい。
【図面の簡単な説明】
【０１９４】
【図１】本発明の電子写真装置の概略構成の例を示す図である。
【符号の説明】
【０１９５】
１１  電子写真感光体
１２  軸
１３  帯電手段
１４  露光光
１５  現像手段
１６  転写手段
１７  転写材
１８  定着手段
１９  クリーニング手段
２０  前露光光
２１  プロセスカートリッジ
２２  案内手段
【図１】
2005062327.tif 000035